(57)【特許請求の範囲】
【請求項１】
紫外線の照射を受けて硬化する性質を有する液状体を記録媒体に向けて吐出する複数のノズルを備えた吐出ヘッドと、
ヘッド保持面に複数の前記吐出ヘッドを保持するヘッド保持部材と、
前記記録媒体に対する前記ヘッド保持部材の位置を、主走査方向に沿った第１の方向と、前記第１の方向の反対方向の第２の方向に往復移動させる主走査方向変位装置と、
前記ヘッド保持部材に対する前記記録媒体の位置を前記主走査方向と交差する副走査方向に間欠的に変化させる副走査方向変位装置と、
前記ヘッド保持部材の前記第１の方向側及び前記第２の方向側の両側面に配置され前記記録媒体に吐出された前記液状体に紫外線を照射する第１〜第４紫外線照射装置であって、前記第１の方向側の側面を前記副走査方向に二分割した領域の一方に配置された第１紫外線照射装置と、前記第２の方向側の側面の前記第１紫外線照射装置と重なる領域に配置された第２紫外線照射装置と、前記第１の方向側の前記副走査方向に分割した領域の他方に配置された第３紫外線照射装置と、前記第２の方向側の側面の前記第３紫外線照射装置と重なる領域に配置された第４紫外線照射装置と、を備え、
前記ヘッド保持部材の前記第１の方向側の側面における前記第１紫外線照射装置及び前記第３紫外線照射装置のいずれか一方と、前記第２の方向側の側面における前記第２紫外線照射装置及び前記第４紫外線照射装置のいずれか一方とは、前記第１の方向側の側面または前記第２の方向側の側面との間にスペーサー部材を介して設置され、
複数の前記吐出ヘッドが、前記ヘッド保持部材の前記ヘッド保持面の前記主走査方向の前記第１紫外線照射装置及び前記第２紫外線照射装置と重なる第１の領域をさらに前記主走査方向に二分割した２領域と、前記ヘッド保持面の前記主走査方向の前記第３紫外線照射装置及び前記第４紫外線照射装置と重なる第２の領域をさらに前記主走査方向に二分割した２領域とのそれぞれに前記副走査方向に重ならないように配置された液滴吐出装置を用いた描画方法であって、
前記ヘッド保持部材を前記主走査方向に走査させながら前記吐出ヘッドから前記液状体を前記記録媒体に向けて吐出させる描画動作において、前記第１の領域に配置された前記吐出ヘッドから吐出させる前記液状体の液滴量と、前記第２の領域から吐出させる前記液状体の液滴量とを異なせることを特徴とする描画方法。
【請求項２】
前記描画動作において、
前記ヘッド保持面の前記第１の領域及び前記第２の領域のうち、前記ヘッド保持部材の進行方向に対して後方に位置する側面に配置された前記スペーサー部材と前記主走査方向に重なる方の前記第１の領域または前記第２の領域に配置された前記吐出ヘッドから吐出させる液滴量よりも、他方の前記第１の領域または前記第２の領域に配置された前記吐出ヘッドから吐出させる液滴量の方が大きいことを特徴とする請求項１に記載の描画方法。
【請求項３】
前記描画動作において、
前記第１紫外線照射装置の紫外線照度と前記第３紫外線照射装置の紫外線照度とを異ならせ、前記第２紫外線照射装置の紫外線照度と前記第４紫外線照射装置の紫外線照度とを異ならせることを特徴とする請求項１または２に記載の描画方法。
【請求項４】
前記描画動作において、
前記第１紫外線照射装置、前記第２紫外線照射装置、前記第３紫外線照射装置、及び前記第４紫外線照射装置のうち、前記スペーサー部材を介して設置された紫外線照射装置の紫外線照度の方が、他方の紫外線照射装置の紫外線照度よりも大きいことを特徴とする請求項１〜３のいずれか一項に記載の描画方法。
【発明の詳細な説明】
【技術分野】
【０００１】
本発明は、描画方法に関し、特に、液滴吐出装置を用いて記録媒体に紫外線硬化型の液状体を吐出させて描画をおこなう描画方法に関する。
【背景技術】
【０００２】
紫外線の照射を受けることによって硬化する液状体を記録媒体に向けて吐出させて塗布し、塗布された液状体に紫外線を照射して硬化させることにより描画をおこなう液滴吐出装置が知られている。このような液滴吐出装置は、例えば、液状体を液滴として吐出する複数のノズルを備えた吐出ヘッドと、吐出ヘッドを保持するヘッド保持部材と、ヘッド保持部材を主走査方向に移動させる主走査方向変位装置と、記録媒体を主走査方向と交差する副走査方向に移動させる副走査方向変位装置と、記録媒体に塗布された液状体に紫外線を照射する紫外線照射装置と、を有している。吐出ヘッドが保持されたヘッド保持部材の主走査方向の両側面に紫外線照射装置が配置され、吐出ヘッドを主走査方向に走査させながら記録媒体に吐出させた液状体に向けて紫外線を照射することができる構成のものが知られている（例えば、特許文献１参照）。
【先行技術文献】
【特許文献】
【０００３】
【特許文献１】特開２００５−３１３４４５号公報
【発明の概要】
【発明が解決しようとする課題】
【０００４】
上記した構成の液滴吐出装置では、近年、描画能力を高くするため吐出ヘッドのノズル数やノズル列数、あるいは吐出ヘッド数を多くする傾向があり、これに伴って、紫外線照射装置の大型化が必要となる。このように紫外線照射装置が大型化すると紫外線照射装置の放熱対策が困難になり、紫外線照射装置が高額なものとなって液滴吐出装置のコストが増大してしまうという課題があった。
【課題を解決するための手段】
【０００５】
本発明は、上述の課題の少なくとも一部を解決するためになされたものであり、以下の形態または適用例として実現することが可能である。
【０００６】
［適用例１］本適用例に係る描画方法は、紫外線の照射を受けて硬化する性質を有する液状体を記録媒体に向けて吐出する複数のノズルを備えた吐出ヘッドと、ヘッド保持面に複数の前記吐出ヘッドを保持するヘッド保持部材と、前記記録媒体に対する前記ヘッド保持部材の位置を、主走査方向に沿った第１の方向と、前記第１の方向の反対方向の第２の方向に往復移動させる主走査方向変位装置と、前記ヘッド保持部材に対する前記記録媒体の位置を前記主走査方向と交差する副走査方向に間欠的に変化させる副走査方向変位装置と、前記ヘッド保持部材の前記第１の方向側及び前記第２の方向側の両側面に配置され前記記録媒体に吐出された前記液状体に紫外線を照射する第１〜第４紫外線照射装置であって、前記第１の方向側の側面を前記副走査方向に二分割した領域の一方に配置された第１紫外線照射装置と、前記第２の方向側の側面の前記第１紫外線照射装置と重なる領域に配置された第２紫外線照射装置と、前記第１の方向側の前記副走査方向に分割した領域の他方に配置された第３紫外線照射装置と、前記第２の方向側の側面の前記第３紫外線照射装置と重なる領域に配置された第４紫外線照射装置と、を備え、前記ヘッド保持部材の前記第１の方向側の側面における前記第１紫外線照射装置及び前記第３紫外線照射装置のいずれか一方と、前記第２の方向側の側面における前記第２紫外線照射装置及び前記第４紫外線照射装置のいずれか一方とは、前記第１の方向側の側面または前記第２の方向側の側面との間にスペーサー部材を介して設置され、複数の前記吐出ヘッドが、前記ヘッド保持部材の前記ヘッド保持面の前記主走査方向の前記第１紫外線照射装置及び前記第２紫外線照射装置と重なる第１の領域をさらに前記主走査方向に二分割した２領域と、前記ヘッド保持面の前記主走査方向の前記第３紫外線照射装置及び前記第４紫外線照射装置と重なる第２の領域をさらに前記主走査方向に二分割した２領域とのそれぞれに前記副走査方向に重ならないように配置された液滴吐出装置を用いた描画方法であって、前記ヘッド保持部材を前記主走査方向に走査させながら前記吐出ヘッドから前記液状体を前記記録媒体に向けて吐出させる描画動作において、前記第１の領域に配置された前記吐出ヘッドから吐出させる前記液状体の液滴量と、前記第２の領域から吐出させる前記液状体の液滴量とを異なせることを特徴とする。
【０００７】
本適用例の液滴吐出装置を用いて描画を行う場合、ヘッド保持部材を主走査方向の例えば第２の方向側に走査させながら描画するときには、吐出ヘッドから吐出されて記録媒体に着弾した液状体に対して、ヘッド保持部材の第１の方向及び第２の方向の両側面のうち、進行方向に対してヘッド保持部材の後方に位置する第１の方向側の側面を副走査方向に二分割した領域にそれぞれ配置された第１紫外線照射装置及び第３紫外線照射装置により紫外線照射が行なわれる。ここで、第１紫外線照射装置及び第３紫外線照射装置のいずれか一方は、第１の方向側の側面との間にスペーサー部材を介して設置されているので、他方のスペーサー部材を介さずに設置された他方の紫外線照射装置よりも記録媒体に着弾した液状体に紫外線照射を行うまでの時間がかかる。
同様に、ヘッド保持部材を第１の方向側に走査させながら描画するときには、記録媒体に着弾した液状体の液滴に対して、ヘッド保持部材の進行方向に対して後方に位置する第２の方向側の側面を副走査方向に二分割した領域にそれぞれ配置された第２紫外線照射装置及び第４紫外線照射装置により紫外線照射が行なわれる。ここでも、第２紫外線照射装置及び第４紫外線照射装置のいずれか一方は、第２の方向側の側面との間にスペーサー部材を介して設置されているので、他方のスペーサー部材を介さずに設置された紫外線照射装置よりも記録媒体に着弾した液状体に紫外線照射を行うまでの時間がかかる。
また、ヘッド保持部材のヘッド保持面において、第１紫外線照射装置及び第２紫外線照射装置と主走査方向に重なる第１の領域をさらに主走査方向に二分割した２領域と、第３紫外線照射装置及び第４紫外線照射装置と主走査方向に重なる第２の領域をさらに主走査方向に二分割した２領域とのそれぞれには、複数の吐出ヘッドが副走査方向に重ならないように配置されている。これにより、第１の領域及び第２の領域のそれぞれ配置された複数の吐出ヘッドごとにも、第１〜第４紫外線照射装置のうち、描画動作中に対応する紫外線照射装置により記録媒体に着弾した液状体に紫外線照射を行なうまでの時間に差が生じる。
この液滴吐出装置の描画動作において、本適用例では、第１の領域に配置された前記吐出ヘッドから吐出させる前記液状体の液滴量と、前記第２の領域から吐出させる前記液状体の液滴量とを異ならせている。即ち、描画を行なう際のヘッド保持部材の走査方向（第１の方向、または第２の方向）、及び、そのときにヘッド保持部材の進行方向に対して後方に位置する方の側面に配置された第１紫外線照射装置及び第３紫外線照射装置、または、第２紫外線照射装置及び第４紫外線照射装置が、ヘッド保持部材との間にスペーサー部材を介して設置されているか否かに応じて、第１の領域または第２の領域にそれぞれ配置された各吐出ヘッドから吐出させる液滴量を異ならせる。
これにより、各吐出ヘッドから記録媒体に吐出して着弾させた液状体に対して第１紫外線照射装置〜第４紫外線照射装置のいずれかにより紫外線照射が行なわれる時間差を考慮して各吐出ヘッド毎に吐出する液滴量を調整することにより、記録媒体に着弾させた液状体が硬化するまでの濡れ広がり量を制御することができる。
本適用例の液滴吐出装置は、ヘッド保持部材の第１の方向及び第２の方向の両側面において、副走査方向に二分割した領域のそれぞれに第１紫外線照射装置及び第３紫外線照射装置、または、第２紫外線照射装置及び第４紫外線照射装置を設ける構成としているので、一つの紫外線照射装置が従来よりも小型化され、放熱対策の難しさから著しい高額化を招く紫外線照射装置の大型化を回避できるので、液滴吐出装置の装置コストを低減することができる。したがって、小型化された第１紫外線照射装置及び第２紫外線照射装置により低コスト化が図られた液滴吐出装置を用いて、複数の吐出ヘッドのノズルから吐出され記録媒体に着弾させた液状体の濡れ広がり量を制御して所望の描画を行なうことが可能な描画方法を提供することができる。
【０００８】
［適用例２］上記適用例に記載の描画方法において、前記描画動作において、前記ヘッド保持面の前記第１の領域及び前記第２の領域のうち、前記ヘッド保持部材の進行方向に対して後方に位置する側面に配置された前記スペーサー部材と前記主走査方向に重なる方の前記第１の領域または前記第２の領域に配置された前記吐出ヘッドから吐出させる液滴量よりも、他方の前記第１の領域または前記第２の領域に配置された前記吐出ヘッドから吐出させる液滴量の方が大きいことが好ましい。
【０００９】
本適用例の描画方法によれば、描画動作時にヘッド保持部材の進行方向に対して後方に位置する側面に配置される第１紫外線照射装置及び第３紫外線照射装置、または、第２紫外線照射装置及び第４紫外線照射装置のうち、スペーサー部材を介してヘッド保持部材の側面に設置されることにより記録媒体に着弾させた液状体に紫外線照射を行うまでに時間がかかる方の領域に配置された吐出ヘッドから吐出させる液滴量よりも、スペーサー部材を介さずヘッド保持部材の側面に設置されることにより記録媒体に着弾させた液状体に紫外線照射が直ぐに行なわれる領域に配置された吐出ヘッドから吐出させる液滴量の方が大きい。
ほとんどの紫外線硬化型の液状体は、記録媒体に着弾させる液滴量が大きいほど多くの紫外線照射が必要になる。本適用例では、直ぐに硬化させることができる方の記録媒体上の液状体の液滴量を、直ぐには硬化させられない方の液滴量よりも大きくしているので、記録媒体に着弾した液滴それぞれの濡れ広がりを適度に抑え、バランスのとれた描画を行なうことができる。
したがって、一つの紫外線照射装置（第１紫外線照射装置〜第４紫外線照射装置）の小型化を図ることにより液滴吐出装置のコスト低減を図りながら、複数の吐出ヘッドのノズルから吐出され記録媒体に着弾させた液状体の液滴を、十分に、且つ、バランスよく硬化させることができるので、高精細な描画を行なうことが可能になる。
【００１０】
［適用例３］上記適用例に係る描画方法において、前記描画動作において、前記第１紫外線照射装置の紫外線照度と前記第３紫外線照射装置の紫外線照度とを異ならせ、前記第２紫外線照射装置の紫外線照度と前記第４紫外線照射装置の紫外線照度とを異ならせることを特徴とする。
【００１１】
本適用例によれば、第１紫外線照射装置、第２紫外線照射装置、第３紫外線照射装置、及び、第４紫外線照射装置のそれぞれを、一走査方向の描画における各吐出ヘッドからの液滴量や、スペーサー部材の有無により記録媒体に着弾させた液状体に紫外線照射を行うまでに掛かる時間の差、あるいは、描画に用いる液状体の濡れ広がり性や硬化特性などの諸特性に応じて、記録媒体に液滴として吐出させて着弾させた液状体を所望の状態で硬化させるように制御することができる。したがって、一走査方向の描画において吐出させる液状体の液滴量を変化させて、または、硬化特性などの諸特性の異なる種々の液状体を用いて、所望の描画を行なえる描画方法を提供することができる。
【００１２】
［適用例４］上記適用例に係る描画方法において、前記描画動作において、前記第１紫外線照射装置、前記第２紫外線照射装置、前記第３紫外線照射装置、及び前記第４紫外線照射装置のうち、前記スペーサー部材を介して設置された紫外線照射装置の紫外線照度の方が、他方の紫外線照射装置の紫外線照度よりも大きいことが好ましい。
【００１３】
本適用例によれば、描画動作時にヘッド保持部材の進行方向に対して後方に位置する側面に配置される第１紫外線照射装置及び第３紫外線照射装置、または、第２紫外線照射装置及び第４紫外線照射装置のうち、スペーサー部材を介してヘッド保持部材の側面に設置されることにより、スペーサー部材を介さずヘッド保持部材の側面に設置された方の紫外線照射装置よりも記録媒体に着弾させた液状体に紫外線照射を行うまでに時間がかかる方の紫外線照射装置の紫外線照度の方が大きい。即ち、記録媒体に着弾させた液状体に直ぐに硬化させることができる方の紫外線照射装置の紫外線照度よりも、直ぐには硬化させられない方の紫外線照射装置の紫外線照度を大きくしているので、記録媒体に着弾した液滴それぞれの濡れ広がりを適度に抑え、バランスのとれた描画を行なうことができる。
したがって、一つの紫外線照射装置（第１紫外線照射装置〜第４紫外線照射装置）の小型化を図ることにより液滴吐出装置のコスト低減を図りながら、複数の吐出ヘッドのノズルから吐出され記録媒体に着弾させた液状体の液滴を、十分に、且つ、バランスよく硬化させることができるので、高精細な描画を行なうことが可能になる。
【図面の簡単な説明】
【００１４】
【図１】第１実施形態における液滴吐出装置の概略構成を示す斜視図。
【図２】第１実施形態におけるキャリッジを説明するものであり、（ａ）は、図１中のＡ視方向に見たときの正面図、（ｂ）は、底面側から見たときの平面図。
【図３】第１実施形態における吐出ヘッドの底面図。
【図４】第１実施形態における吐出ヘッドの正断面図。
【図５】第１実施形態における液滴吐出装置の概略構成を示すブロック図。
【図６】第１実施形態における液滴吐出装置の描画動作を図１中のＡ視方向に見て示す説明図。
【図７】第１実施形態における描画処理の流れを示すフローチャート。
【図８】液滴吐出装置のキャリッジの変形例を底面側から見たときの平面図。
【発明を実施するための形態】
【００１５】
以下、本発明の実施形態について、図面を参照して説明する。なお、以下の各図においては、各層や各部材を認識可能な程度の大きさにするため、各層や各部材の尺度を実際とは異なっていることがある。
【００１６】
（第１実施形態）
〔液滴吐出装置〕
まず、本実施形態で用いる液滴吐出装置について説明する。図１は、第１実施形態における液滴吐出装置の概略構成を示す斜視図である。また、図２は、本実施形態におけるヘッド保持部材としてのキャリッジを説明するものであり、（ａ）は、図１中のＡ視方向に見たときの正面図、（ｂ）は、底面側からみたときの平面図である。また、図３は、本実施形態における吐出ヘッドの底面図である。また、図４は、吐出ヘッドの正断面図である。
また、図５は、本実施形態における液滴吐出装置の概略構成を示すブロック図である。
図１において、本実施形態における液滴吐出装置１は、副走査方向変位装置としてのワーク搬送装置３と、ヘッド保持部材としてのキャリッジ７と、主走査方向変位装置としてのキャリッジ搬送装置１１と、を有している。
【００１７】
キャリッジ７には、ヘッドユニット１３と、第１紫外線照射装置１５ａ、第２紫外線照射装置１５ｂ、第３紫外線照射装置１５ｃ（図２参照）、及び第４紫外線照射装置１５ｄと、が設けられている。
液滴吐出装置１では、ヘッドユニット１３と記録媒体としてのワークＷとの平面視での相対位置を変化させつつ、ヘッドユニット１３から液状体を液滴として吐出させることによって、ワークＷに液状体で所望のパターンを描画することができる。なお、図中のＹ方向はワークＷの移動方向（副走査方向）を示し、Ｘ方向は平面視でＹ方向とは直交する方向（主走査方向）を示している。また、Ｘ方向及びＹ方向によって規定されるＸＹ平面と直交する方向は、Ｚ方向として規定される。
【００１８】
このような液滴吐出装置１は、例えば、樹脂フィルムなどのように、液状体が浸透しにくい非吸収性の記録媒体への描画に適用することができる。
また、液滴吐出装置１を、例えば、液晶表示パネル等に用いられるカラーフィルターの製造や、有機ＥＬ（Ｅｌｅｃｔｒｏ  Ｌｕｍｉｎｅｓｃｅｎｃｅ）装置の製造などに適用することもできる。
赤、緑及び青の３色のフィルターエレメントを有するカラーフィルターの場合、液滴吐出装置１は、例えば、基板に赤、緑及び青の各着色層を形成する工程で好適に使用され得る。この場合、ヘッドユニット１３から各着色層に対応する各液状体を、ワークＷに液滴として吐出させることによって、ワークＷに赤、緑及び青のそれぞれのフィルターエレメントのパターンが描画される。
また、有機ＥＬ装置の製造では、例えば、赤、緑及び青の画素ごとに、各色に対応する機能層（有機層）を形成する工程で好適に使用され得る。この場合、ヘッドユニット１３から各色の機能層に対応する各液状体を、ワークＷに液滴として吐出させることによって、ワークＷに赤、緑及び青のそれぞれの機能層のパターンが描画される。
【００１９】
ここで、液滴吐出装置１の各構成について、詳細を説明する。
ワーク搬送装置３は、図１に示すように、定盤２１と、ガイドレール２３ａと、ガイドレール２３ｂと、ワークテーブル２５と、を有している。
定盤２１は、例えば石などの熱膨張係数が小さい材料で構成されており、Ｙ方向に沿って延びるように据えられている。ガイドレール２３ａ及びガイドレール２３ｂは、定盤２１の上面２１ａ上に配設されている。ガイドレール２３ａ及びガイドレール２３ｂは、それぞれ、Ｙ方向に沿って延在している。ガイドレール２３ａとガイドレール２３ｂとは、互いにＸ方向に隙間をあけた状態で並んでいる。
【００２０】
ワークテーブル２５は、ガイドレール２３ａ及びガイドレール２３ｂを挟んで定盤２１の上面２１ａに対向した状態で設けられている。ワークテーブル２５は、定盤２１から浮いた状態でガイドレール２３ａ及びガイドレール２３ｂ上に載置されている。ワークテーブル２５は、ワークＷが載置される面である載置面２５ａを有している。載置面２５ａは、定盤２１側とは反対側（上側）に向けられている。ワークテーブル２５は、ガイドレール２３ａ及びガイドレール２３ｂによってＹ方向に沿って案内され、定盤２１上をＹ方向に沿って往復移動可能に構成されている。
ワークテーブル２５は、図示しない移動機構及び動力源によって、Ｙ方向に往復動可能に構成されている。移動機構としては、例えば、ボールねじやリニアガイドなどを利用した機構が採用され得る。また、本実施形態では、ワークテーブル２５をＹ方向に沿って移動させるための動力源として、図示しないワーク搬送モーターが採用されている。ワーク搬送モーターとしては、ステッピングモーター、サーボモーター、リニアモーターなどの種々のモーターが採用され得る。
ワーク搬送モーターからの動力は、移動機構を介してワークテーブル２５に伝達される。これにより、ワークテーブル２５は、ガイドレール２３ａ及びガイドレール２３ｂに沿って、すなわちＹ方向に沿って往復移動することができる。つまり、ワーク搬送装置３は、ワークテーブル２５の載置面２５ａに載置されたワークＷを、Ｙ方向に沿って往復移動させることができる。以下において、Ｙ（−）側の向きをヘッドユニット１３の上流側、Ｙ（＋）側の向きをヘッドユニット１３の下流側とする。
【００２１】
図２に示すように、ヘッドユニット１３は、ヘッドプレート３１と、複数の吐出ヘッド３３Ａ〜３３Ｄと、を有している。本実施形態では、４つの吐出ヘッド３３Ａ〜３３Ｄを有している。
各吐出ヘッド３３Ａ〜３３Ｄは、底面図である図３に示すように、ノズル面３５を有している。ノズル面３５には、複数のノズル３７が形成されている。なお、図３では、ノズル３７をわかりやすく示すため、ノズル３７が誇張され、且つノズル３７の個数が減じられている。
吐出ヘッド３３において、複数のノズル３７は、Ｙ方向に沿って配列する４本のノズル列３９を構成している。４本のノズル列３９は、Ｘ方向に互いに隙間をあけた状態で並んでいる。各ノズル列３９において、複数のノズル３７は、Ｙ方向に沿って所定のノズル間隔Ｐで形成されている。
以下において、４本のノズル列３９のそれぞれが識別される場合に、ノズル列３９ａ、ノズル列３９ｂ、ノズル列３９ｃ及びノズル列３９ｄという表記が用いられる。
吐出ヘッド３３Ａ〜３３Ｄにおいて、ノズル列３９ａとノズル列３９ｂとは、互いにＹ方向にＰ／２の距離だけずれている。ノズル列３９ｃ及びノズル列３９ｄも、互いにＹ方向にＰ／２の距離だけずれている。
【００２２】
キャリッジ７は、ヘッドユニット１３と、ヘッドユニット１３の主走査方向（Ｘ方向）の面側にそれぞれ取り付けられた第１紫外線照射装置１５ａ、第２紫外線照射装置１５ｂ、及び第３紫外線照射装置１５ｃ、第４紫外線照射装置１５ｄとから構成される。
また、第１紫外線照射装置１５ａ、第２紫外線照射装置１５ｂ、第３紫外線照射装置１５ｃ、及び第４紫外線照射装置１５ｄは、紫外光４１ａ，４１ｂ，４１ｃ，４１ｄを発する光源４５ａ，４５ｂ，４５ｃ，４５ｄをそれぞれ有している。光源４５ａ〜４５ｄからの紫外光４１ａ〜４１ｄは、吐出ヘッド３３からワークＷに吐出された液状体５３の硬化を促進させる。液状体５３は、紫外光４１ａ〜４１ｄの照射を受けると、硬化が促進する。
【００２３】
図４に示すように、吐出ヘッド３３Ａ〜３３Ｄは、ノズルプレート４６と、キャビティープレート４７と、振動板４８と、複数の圧電素子４９と、を有している。
ノズルプレート４６は、ノズル面３５を有している。複数のノズル３７は、ノズルプレート４６に設けられている。
キャビティープレート４７は、ノズルプレート４６のノズル面３５とは反対側の面に設けられている。キャビティープレート４７には、複数のキャビティー５１が形成されている。各キャビティー５１は、各ノズル３７に対応して設けられており、対応する各ノズル３７に連通している。各キャビティー５１には、図示しないタンクから液状体５３が供給される。
【００２４】
振動板４８は、キャビティープレート４７のノズルプレート４６側とは反対側の面に設けられている。振動板４８は、Ｚ方向に振動（縦振動）することによって、キャビティー５１内の容積を拡大したり、縮小したりする。
複数の圧電素子４９は、それぞれ、振動板４８のキャビティープレート４７側とは反対側の面に設けられている。各圧電素子４９は、各キャビティー５１に対応して設けられており、振動板４８を挟んで各キャビティー５１に対向している。各圧電素子４９は、駆動信号に基づいて、伸長する。これにより、振動板４８がキャビティー５１内の容積を縮小する。このとき、キャビティー５１内の液状体５３に圧力が付与される。その結果、ノズル３７から、液状体５３が液滴５５として吐出される。吐出ヘッド３３Ａ〜３３Ｄによる液滴５５の吐出法は、インクジェット法の１つである。インクジェット法は、塗布法の１つである。
【００２５】
図２において、ヘッドユニット１３の主走査方向の両側面のうち、往路方向（Ｘ（＋）方向）の側面を副走査方向に二分割した領域には、第１紫外線照射装置１５ａ及び第３紫外線照射装置１５ｃが配置され、復路方向（Ｘ（−）方向）の側面を副走査方向に二分割した領域には、第２紫外線照射装置１５ｂ及び第４紫外線照射装置１５ｄが配置されている。本実施形態では、第１紫外線照射装置１５ａと第２紫外線照射装置１５ｂとが主走査方向において重なる位置に配置され、第３紫外線照射装置１５ｃと第４紫外線照射装置１５ｄとが主走査方向に重なる位置に配置されている。また、第３紫外線照射装置１５ｃはヘッドユニット１３の往路方向（Ｘ（＋）方向）の側面にスペーサー部材１８ａを介して設置され、第４紫外線照射装置１５ｄは復路方向（Ｘ（−）方向）の側面にスペーサー部材１８ｂを介して設置されている。
第１紫外線照射装置１５ａ、第２紫外線照射装置１５ｂ、第３紫外線照射装置１５ｃ、及び、第４紫外線照射装置１５ｄのそれぞれは、紫外光４１ａ，４１ｂ，４１ｃ，４１ｄを発する光源４５ａ，４５ｂ，４５ｃ，４５ｄを有している。光源４５ａ〜４５ｄからの紫外光４１ａ〜４１ｄは、吐出ヘッド３３Ａ〜３３Ｄのノズルから吐出された液状体５３の硬化を促進させる。液状体５３は、紫外光４１ａ〜４１ｄの照射を受けると、硬化が促進する。
光源４５ａ〜４５ｄとしては、例えば、ＬＥＤ、ＬＤ、水銀ランプ、メタルハライドランプ、キセノンランプ、エキシマランプ等の種々の光源４５ａ〜４５ｄが採用され得る。
【００２６】
上記の構成を有する吐出ヘッド３３Ａ〜３３Ｄのそれぞれは、図２に示すように、ノズル面３５がヘッドプレート３１から突出した状態で、ヘッドプレート３１に支持されている。キャリッジ７は、図２に示すように、ヘッドユニット１３を支持している。ここで、ヘッドユニット１３は、ノズル面３５がＺ方向の下方に向けられた状態でキャリッジ７に支持されている。
ここで、複数の吐出ヘッド３３Ａ〜３３Ｄの配置について詳細に説明する。図２（ｂ）に示すように、本実施形態では、キャリッジ７に保持されたヘッドプレート３１の吐出ヘッド保持面３１ａには、主走査方向（Ｘ方向）において第１紫外線照射装置１５ａ及び第２紫外線照射装置１５ｂと重なる第１の領域３２ａと、主走査方向（Ｘ方向）において第３紫外線照射装置１５ｃ及び第４紫外線照射装置１５ｄと重なる第２の領域３２ｂとに、吐出ヘッド３３Ａ〜３３Ｄが意図的に分けて配置される。本実施形態では、第１の領域３２ａに吐出ヘッド３３Ａと吐出ヘッド３３Ｂとが、主走査方向及び副走査方向において重ならない位置に配置され、第２の領域３２ｂに吐出ヘッド３３Ｃと吐出ヘッド３３Ｄとが、主走査方向及び副走査方向に重ならない位置に配置されている。
【００２７】
上記構成により、ワークＷには、第１の領域３２ａの吐出ヘッド３３Ａ，３３Ｂ、及び、第２の領域３２ｂの吐出ヘッド３３Ｃ，３３Ｄのそれぞれから液状体５３が塗布され得る。
なお、図４に示すように、本実施形態では、縦振動型の圧電素子４９が採用されているが、液状体５３に圧力を付与するための加圧手段は、これに限定されず、例えば、下電極と圧電体層と上電極とを積層形成した撓み変形型の圧電素子も採用され得る。また、加圧手段としては、振動板と電極との間に静電気を発生させて、静電気力によって振動板を変形させてノズルから液滴を吐出させるいわゆる静電式アクチュエーターなども採用され得る。さらに、発熱体を用いてノズル内に泡を発生させ、その泡によって液状体に圧力を付与する構成も採用され得る。
【００２８】
本実施形態に示す液状体５３として、光の照射を受けることによって硬化が促進する液状体５３が採用されている。本実施形態では、液状体５３の硬化を促進させる光として紫外光４１ａ及び紫外光４１ｂが採用されている。
液状体５３は、樹脂材料、光重合開始剤及び溶媒を、成分として含んでいる。これらの成分に、顔料や染料等の色素や、親液性や撥液性等の表面改質材料などの機能性材料を添加することによって固有の機能を有する液状体５３を生成することができる。顔料や染料等の色素を含有する液状体５３は、例えば、ワークＷに描画する画像を形成するための液状体５３として採用され得る。以下において、ワークＷに描画する画像を形成するための液状体５３は、画像塗料と呼ばれる。
【００２９】
また、液状体５３の成分としての樹脂材料に、例えば、アクリル系の樹脂材料などの光透過性を有する樹脂材料を採用することによって、光透過性を有する液状体５３を構成することができる。このような光透過性を有する液状体５３は、例えば、クリアインクとしての用途が考えられる。以下において、光透過性を有する液状体５３は、透光塗料と呼ばれる。
クリアインクの用途としては、例えば、画像を被覆するオーバーコート層としての用途や、画像を形成する前の下地層としての用途などが考えられる。以下において、下地層として適用される液状体５３は、下地塗料と呼ばれる。
下地塗料としては、透光塗料だけでなく、透光塗料に種々の顔料を添加した液状体５３を採用することもできる。例えば、白色を呈する液状体５３や、金属的な光沢（メタリック）を示す液状体５３なども、下地塗料として採用され得る。
【００３０】
液状体５３における樹脂材料は、樹脂膜を形成する材料である。このような樹脂材料としては、常温で液状であり、重合させることによってポリマーとなる材料であれば特に限定されない。樹脂材料としては、粘性が小さいものが好ましく、オリゴマーの形態であるのが好ましい。さらに、樹脂材料としては、モノマーの形態であることが一層好ましい。
光重合開始剤は、ポリマーの架橋性基に作用して架橋反応を進行させる添加剤である。光重合開始剤としては、例えば、ベンジルジメチルケタールなどが採用され得る。本実施形態では、光重合開始剤として、ラジカル型の光重合開始剤が採用されている。ラジカル型の光重合開始剤としては、例えば、チバ・ジャパン（株）社製のイルガキュア８１９などが採用され得る。
溶媒は、樹脂材料の粘度を調整するためのものである。
【００３１】
図１に示すように、キャリッジ搬送装置１１は、架台１０１と、ガイドレール１０３と、を有している。
架台１０１は、Ｘ方向に延在しており、ワーク搬送装置３をＸ方向にまたいでいる。架台１０１は、ワークテーブル２５の定盤２１側とは反対側で、ワーク搬送装置３に対向している。架台１０１は、一対の支柱１０７によって支持されている。一対の支柱１０７は、定盤２１を挟んでＸ方向に互いに対峙する位置に設けられている。
なお、以下においては、一対の支柱１０７のそれぞれを識別する場合に、支柱１０７ａ及び支柱１０７ｂという表記が用いられる。支柱１０７ａ及び支柱１０７ｂは、それぞれ、ワークテーブル２５よりもＺ方向の上方に突出している。これにより、架台１０１とワークテーブル２５との間には、隙間が保たれている。
【００３２】
ガイドレール１０３は、架台１０１の定盤２１側に設けられている。ガイドレール１０３は、Ｘ方向に沿って延在しており、架台１０１のＸ方向における幅にわたって設けられている。
前述したキャリッジ７は、ガイドレール１０３に支持されている。キャリッジ７がガイドレール１０３に支持された状態において、吐出ヘッド３３Ａ〜３３Ｄの各ノズル面３５は、Ｚ方向においてワークテーブル２５側に向いている（図２〜４を参照）。キャリッジ７は、ガイドレール１０３によってＸ方向に沿って案内され、Ｘ方向に往復動可能な状態でガイドレール１０３に支持されている。なお、平面視で、キャリッジ７がワークテーブル２５に重なっている状態において、ノズル面３５とワークテーブル２５の載置面２５ａとは、互いに隙間を保った状態で対向する。
【００３３】
キャリッジ７は、図示しない移動機構及び動力源によって、Ｘ方向に往復動可能に構成されている。移動機構としては、例えば、ボールねじやリニアガイドなどを利用した機構が採用され得る。また、本実施形態では、キャリッジ７をＸ方向に沿って移動させるための動力源として、図示しないキャリッジ搬送モーターが採用されている。キャリッジ搬送モーターとしては、ステッピングモーター、サーボモーター、リニアモーターなどの種々のモーターが採用され得る。
キャリッジ搬送モーターからの動力は、移動機構を介してキャリッジ７に伝達される。これにより、キャリッジ７は、ガイドレール１０３に沿って、すなわちＸ方向に沿って往復移動することができる。つまり、キャリッジ搬送装置１１は、キャリッジ７に支持されたヘッドユニット１３を、Ｘ方向に沿って往復移動させることができる。以下において、Ｘ（＋）側の方向への移動を往路移動、Ｘ（−）側の方向への移動を復路移動とする。
上記の構成を有する液滴吐出装置１では、吐出ヘッド３３をワークＷに対向させた状態で、吐出ヘッド３３とワークＷとを相対的に往復移動させながら、吐出ヘッド３３から液滴５５を吐出させることによって、ワークＷへのパターンの描画が行われる。
【００３４】
液滴吐出装置１は、図５に示すように、上記の各構成の動作を制御する制御部１１１を有している。制御部１１１は、ＣＰＵ（Ｃｅｎｔｒａｌ  Ｐｒｏｃｅｓｓｉｎｇ  Ｕｎｉｔ）１１３と、駆動制御部１１５と、メモリー部１１７と、を有している。駆動制御部１１５及びメモリー部１１７は、バス１１９を介してＣＰＵ１１３に接続されている。
また、液滴吐出装置１は、キャリッジ搬送モーター１２１と、ワーク搬送モーター１２３と、入力装置１２９と、表示装置１３１と、を有している。
キャリッジ搬送モーター１２１、及びワーク搬送モーター１２３は、それぞれ、入出力インターフェイス１３３とバス１１９とを介して制御部１１１に接続されている。また、入力装置１２９及び表示装置１３１も、それぞれ、入出力インターフェイス１３３とバス１１９とを介して制御部１１１に接続されている。
【００３５】
キャリッジ搬送モーター１２１は、キャリッジ７を駆動するための動力を発生させる。ワーク搬送モーター１２３は、ワークテーブル２５を駆動するための動力を発生させる。
入力装置１２９は、各種の加工条件を入力する装置である。表示装置１３１は、加工条件や、作業状況を表示する装置である。液滴吐出装置１を操作するオペレーターは、表示装置１３１に表示される情報を確認しながら、入力装置１２９を介して種々の情報を入力することができる。
なお、吐出ヘッド３３Ａ〜３３Ｄ、第１紫外線照射装置１５ａ、第２紫外線照射装置１５ｂ、第３紫外線照射装置１５ｃ、及び、第４紫外線照射装置１５ｄは、それぞれ、入出力インターフェイス１３３とバス１１９とを介して制御部１１１に接続されている。
【００３６】
ＣＰＵ１１３は、プロセッサーとして各種の演算処理を行う。駆動制御部１１５は、各構成の駆動を制御する。メモリー部１１７は、ＲＡＭ（Ｒａｎｄｏｍ  Ａｃｃｅｓｓ  Ｍｅｍｏｒｙ）や、ＲＯＭ（Ｒｅａｄ  Ｏｎｌｙ  Ｍｅｍｏｒｙ）などを含んでいる。メモリー部１１７には、液滴吐出装置１における動作の制御手順が記述されたプログラムソフト１３５を記憶する領域や、各種のデータを一時的に展開する領域であるデータ展開部１３７などが設定されている。データ展開部１３７に展開されるデータとしては、例えば、描画すべきパターンが示される描画データや、描画処理等のプログラムデータなどが挙げられる。
駆動制御部１１５は、モーター制御部１４１、吐出制御部１４５、第１照射制御部１４６、第２照射制御部１４７、第３照射制御部１４８、第４照射制御部１４９、及び、表示制御部１５１を有している。
【００３７】
モーター制御部１４１は、ＣＰＵ１１３からの指令に基づいて、キャリッジ搬送モーター１２１の駆動と、ワーク搬送モーター１２３の駆動とを、個別に制御する。
吐出制御部１４５は、ＣＰＵ１１３からの指令に基づいて、吐出ヘッド３３の駆動を制御する。
第１照射制御部１４６、第２照射制御部１４７、第３照射制御部１４８、及び第４照射制御部１４９は、ＣＰＵ１１３からの指令に基づいて、第１紫外線照射装置１５ａ、第２紫外線照射装置１５ｂ、第３紫外線照射装置１５ｃ、及び第４紫外線照射装置１５ｄにおける光源４５ａ，４５ｂ，４５ｃ，４５ｄそれぞれの発光状態を制御する。
表示制御部１５１は、ＣＰＵ１１３からの指令に基づいて、表示装置１３１の駆動を制御する。
【００３８】
〔描画方法〕
次に、液滴吐出装置１における描画方法について説明する。図６は、第１実施形態における液滴吐出装置の描画動作を図１中のＡ視方向に見て示す説明図である。また、図７は、第１実施形態における描画処理の流れを示すフローチャートである。
まず、図５に沿って、液滴吐出装置１における描画処理について説明する。
図５において、液滴吐出装置１では、制御部１１１が入力装置１２９から入出力インターフェイス１３３及びバス１１９を介して描画データを受け取ると、ＣＰＵ１１３によって図７に示す描画処理が開始される。
ここで、描画データは、液状体５３でワークＷに描画すべきパターンを指示するものであり、描画すべきパターンがビットマップ状に表現されている。ワークＷへのパターンの描画は、吐出ヘッド３３をワークＷに対向させた状態で、吐出ヘッド３３Ａ〜３３Ｄが設けられたヘッドユニット１３を保持するキャリッジ７とワークＷとを相対的に往復移動させながら、各吐出ヘッド３３Ａ〜３３Ｄから液状体の液滴を所定周期で吐出させることによって行われる。
【００３９】
描画処理では、ＣＰＵ１１３は、まず、図７のステップＳ１において、キャリッジ搬送指令をモーター制御部１４１に出力する。このとき、モーター制御部１４１は、キャリッジ搬送モーター１２１の駆動を制御して、キャリッジ７を往路開始位置に移動させる。
ここで、液滴吐出装置１では、描画エリアが設定されている。描画エリアは、図１に示すワークテーブル２５によって副走査方向としてのＹ方向に沿って描かれる軌跡と、吐出ヘッド３３Ａ〜３３Ｄによって主走査方向としてのＸ方向に沿って描かれる軌跡とが重なり合う領域である。
そして、往路開始位置は、キャリッジ７をＸ方向に沿って往復移動させるときの往路が開始する位置である。本実施形態では、往路開始位置は、平面視で、描画エリアの外側に位置している。本実施形態では、往路開始位置は、平面視で、描画エリアの支柱１０７ａ側に位置している。
【００４０】
次いで、図７のステップＳ２において、ＣＰＵ１１３は、ワーク搬送指令をモーター制御部１４１（図５）に出力する。このとき、モーター制御部１４１は、ワーク搬送モーター１２３の駆動を制御して、ワークＷを描画エリアに移動させる。
【００４１】
次いで、ステップＳ３において、ＣＰＵ１１３は、キャリッジ走査指令をモーター制御部１４１（図５）に出力する。このとき、モーター制御部１４１は、キャリッジ搬送モーター１２１の駆動を制御して、キャリッジ７の往復移動を開始させる。
ここで、キャリッジ７の往復移動では、キャリッジ７は、上述した往路開始位置と復路開始位置との間を往復移動する。つまり、往路開始位置から復路開始位置で折り返して往路開始位置に戻る経路がキャリッジ７の１往復である。このため、本実施形態では、往路開始位置から復路開始位置に向かう経路がキャリッジ７の往路である。他方で、復路開始位置から往路開始位置に向かう経路がキャリッジ７の復路である。
なお、復路開始位置は、Ｘ方向に描画エリアを挟んで往路開始位置に対峙する位置である。復路開始位置は、平面視で、描画エリアの外側に位置している。このため、往路開始位置と復路開始位置とは、平面視で、描画エリアをＸ方向に挟んで互いに対峙している。本実施形態では、復路開始位置は、平面視で、描画エリアの支柱１０７ｂ側に位置している。
【００４２】
次いで、ステップＳ４において、ＣＰＵ１１３は、紫外線照射装置に対する第１照射指令及び第３照射指令を第１照射制御部１４６及び第３照射制御部１４８（図５）に出力する。本実施形態では、第２紫外線照射装置１５ｂに対する第１照射指令を第１照射制御部１４６に出力し、第４紫外線照射装置１５ｄに対する第３照射指令を第３照射制御部１４８に出力する。第１照射制御部１４６は、第２紫外線照射装置１５ｂの光源４５ｂの駆動を制御して、第２紫外線照射装置１５ｂの光源４５ｂを点灯させる。また、第３照射制御部１４８は、第４紫外線照射装置１５ｄの光源４５ｄの駆動を制御して、第４紫外線照射装置１５ｄの光源４５ｄを点灯させる。
次いで、ステップＳ５において、ＣＰＵ１１３は、吐出ヘッド３３Ａ〜３３Ｄの位置が往路における描画開始位置に到達したか否かを判定する。
ここで、描画開始位置は、描画エリア内で吐出ヘッド３３Ａ〜３３Ｄから液状体の液滴の吐出を開始させる位置である。
このとき、吐出ヘッド３３Ａ〜３３Ｄの位置が描画開始位置に到達した（Ｙｅｓ）と判定されると、処理がステップＳ６に移行する。他方で、吐出ヘッド３３の位置が描画開始位置に到達していない（Ｎｏ）と判定されると、吐出ヘッド３３Ａ〜３３Ｄの位置が描画開始位置に到達するまで吐出ヘッド３３Ａ〜３３Ｄの位置が描画開始位置に到達したか否かの判定を繰り返す。
【００４３】
次いで、ステップＳ６において、ＣＰＵ１１３は、吐出指令を吐出制御部１４５（図５）に出力する。このとき、吐出制御部１４５は、吐出ヘッド３３Ａ〜３３Ｄの駆動を制御して、描画データに基づいて、各ノズル３７から液状体の液滴を吐出させる。これにより、往路での描画が開始される。
【００４４】
次いで、ステップＳ７において、ＣＰＵ１１３は、吐出ヘッド３３Ａ〜３３Ｄの位置が往路における描画停止位置に到達したか否かを判定する。
ここで、描画停止位置は、描画エリア内で吐出ヘッド３３Ａ〜３３Ｄから液滴の吐出を停止させる位置である。
このとき、吐出ヘッド３３Ａ〜３３Ｄの位置が描画停止位置に到達した（Ｙｅｓ）と判定されると、処理がステップＳ８に移行する。他方で、吐出ヘッド３３Ａ〜３３Ｄの位置が描画停止位置に到達していない（Ｎｏ）と判定されると、吐出ヘッド３３Ａ〜３３Ｄの位置が描画停止位置に到達するまで吐出ヘッド３３Ａ〜３３Ｄの位置が描画停止位置に到達したか否かの判定を繰り返す。
【００４５】
次いで、ステップＳ８において、ＣＰＵ１１３は、吐出停止指令を吐出制御部１４５（図５）に出力する。このとき、吐出制御部１４５は、吐出ヘッド３３Ａ〜３３Ｄの駆動を停止して、各ノズル３７からの液滴の吐出を停止させる。これにより、往路での描画が終了する。
次いで、ステップＳ９において、ＣＰＵ１１３は、第２紫外線照射装置１５ｂに対する第１照射停止指令を第１照射制御部１４６（図５）に出力し、第４紫外線照射装置１５ｄに対する第３照射停止指令を第３照射制御部１４８（図５）に出力する。このとき、第１照射制御部１４６は、第２紫外線照射装置１５ｂの光源４５ｂの駆動を制御して、第２紫外線照射装置１５ｂの光源４５ｂを消灯させ、第３照射制御部１４８は、第４紫外線照射装置１５ｄの光源４５ｄの駆動を制御して、第４紫外線照射装置１５ｄの光源４５ｄを消灯させる。
【００４６】
次いで、ステップＳ１０において、ＣＰＵ１１３は、キャリッジ７の位置が復路開始位置に到達したか否かを判定する。このとき、キャリッジ７の位置が復路開始位置に到達した（Ｙｅｓ）と判定されると、処理がステップＳ１１に移行する。他方で、キャリッジ７の位置が復路開始位置に到達していない（Ｎｏ）と判定されると、キャリッジ７の位置が復路開始位置に到達するまで処理が待機される。
【００４７】
次いで、ステップＳ１１において、ＣＰＵ１１３は、改行指令をモーター制御部１４１（図５）に出力する。このとき、改行指令を受けたモーター制御部１４１は、ワーク搬送モーター１２３の駆動を制御して、ワークＷをＹ（＋）側に移動（改行）させ、ワークＷにおいてパターンを描画すべき新たな領域を描画エリアに移動させる。
【００４８】
次いで、ステップＳ１２において、ＣＰＵ１１３は、第１紫外線照射装置１５ａに対する第２照射指令を第２照射制御部１４７（図５）に出力するとともに、第３紫外線照射装置１５ｃに対する第４照射指令を第４照射制御部１４９（図５）に出力する。このとき、第２照射制御部１４７は、第１紫外線照射装置１５ａの光源４５ａの駆動を制御して、第１紫外線照射装置１５ａの光源４５ａを点灯させる。また、第４照射制御部１４９は、第３紫外線照射装置１５ｃの光源４５ｃを制御して、第３紫外線照射装置１５ｃの光源４５ｃを点灯させる。
【００４９】
ステップＳ１３では、ＣＰＵ１１３は、吐出ヘッド３３の位置が復路における描画開始位置に到達したか否かを判定する。
ここで、描画開始位置は、描画エリア内で吐出ヘッド３３Ａ〜３３Ｄから液状体の液滴の吐出を開始させる位置である。
このとき、吐出ヘッド３３Ａ〜３３Ｄの位置が描画開始位置に到達した（Ｙｅｓ）と判定されると、処理がステップＳ１４に移行する。他方で、吐出ヘッド３３の位置が描画開始位置に到達していない（Ｎｏ）と判定されると、吐出ヘッド３３Ａ〜３３Ｄの位置が描画開始位置に到達するまで処理が待機される。
【００５０】
次いで、ステップＳ１４において、ＣＰＵ１１３は、吐出指令を吐出制御部１４５（図５）に出力する。このとき、吐出制御部１４５は、吐出ヘッド３３Ａ〜３３Ｄの駆動を制御して、描画データに基づいて、各ノズル３７から液滴を吐出させる。これにより、復路での描画が開始される。
【００５１】
次いで、ステップＳ１５において、ＣＰＵ１１３は、吐出ヘッド３３Ａ〜３３Ｄの位置が復路における描画停止位置に到達したか否かを判定する。このとき、吐出ヘッド３３Ａ〜３３Ｄの位置が描画停止位置に到達した（Ｙｅｓ）と判定されると、処理がステップＳ１６に移行する。他方で、吐出ヘッド３３Ａ〜３３Ｄの位置が描画停止位置に到達していない（Ｎｏ）と判定されると、吐出ヘッド３３Ａ〜３３Ｄの位置が描画停止位置に到達するまで処理が待機される。
【００５２】
次いで、ステップＳ１６において、ＣＰＵ１１３は、吐出停止指令を吐出制御部１４５（図５）に出力する。このとき、吐出制御部１４５は、吐出ヘッド３３Ａ〜３３Ｄの駆動を停止して、各ノズル３７からの液滴の吐出を停止させる。これにより、復路での描画が終了する。
【００５３】
次いで、ステップＳ１７において、ＣＰＵ１１３は、第１紫外線照射装置１５ａに対する第２照射停止指令を第２照射制御部１４７（図５）に出力し、第３紫外線照射装置１５ｃに対する第４照射停止指令を第４照射制御部１４９（図５）に出力する。第２照射制御部１４７は、第１紫外線照射装置１５ａの光源４５ａの駆動を制御して、第１紫外線照射装置１５ａの光源４５ａを消灯させる。また、第４照射制御部１４９は、第３紫外線照射装置１５ｃの光源４５ｃを制御して、第３紫外線照射装置１５ｃの光源４５ｃを消灯させる。
【００５４】
ステップＳ１８では、ＣＰＵ１１３は、描画データが終了したか否かを判定する。このとき、描画データが終了した（Ｙｅｓ）と判定されると、処理がステップＳ１９に移行する。他方で、描画データが終了していない（Ｎｏ）と判定されると、処理がステップＳ１６に移行する。
ステップＳ１９では、ＣＰＵ１１３は、キャリッジ７の位置が往路開始位置に到達したか否かを判定する。このとき、キャリッジ７の位置が往路開始位置に到達した（Ｙｅｓ）と判定されると、処理がステップＳ２０に移行する。他方で、キャリッジ７の位置が往路開始位置に到達していない（Ｎｏ）と判定されるとキャリッジ７の位置が往路開始位置に到達するまでキャリッジ７の位置が往路開始位置に到達したか否かの判定を繰り返す。
【００５５】
次いで、ステップＳ２０において、ＣＰＵ１１３は、キャリッジ走査停止指令をモーター制御部１４１（図５）に出力してから、処理を終了させる。このとき、キャリッジ走査停止指令を受けたモーター制御部１４１は、キャリッジ搬送モーター１２１の駆動を制御して、キャリッジ７の往復移動を停止させる。
【００５６】
上記に説明した描画方法において、ヘッドユニット１３（キャリッジ７）を往路方向（Ｘ（＋）方向）に走査させながら描画を行なうとき、及び、復路方向（Ｘ（−）方向）に走査させながら描画を行うときに、図２（ｂ）に示すヘッドユニット１３の第１の領域３２ａにおいて主走査方向および副走査方向に重ならない位置に配置された吐出ヘッド３３Ａ，３３Ｂと、ヘッドユニット１３の第２の領域３２ｂにおいて主走査方向および副走査方向に重ならない位置に配置された吐出ヘッド３３Ｃ，３３Ｄとで、吐出させる液状体の液滴量を異ならせることが本発明の特徴になっている。
【００５７】
その一実施形態について詳述すると、図６（ａ）に示すように、ヘッドユニット１３（キャリッジ７）を第１の方向としての往路方向（Ｘ（＋）方向）に走査させながら描画をおこなう時には、ヘッドユニット１３の第１の領域３２ａ（図２（ｂ））に配置された吐出ヘッド３３Ａ，３３Ｂ（図２（ｂ））から吐出させる第２の液滴５５ｂよりも、ヘッドユニット１３の第２の領域３２ｂに配置され第２のノズル群を構成する吐出ヘッド３３Ｃ，３３Ｄ（図２（ｂ）参照）から吐出させる第１の液滴５５ａの方が液滴量を小さくしている。この往路方向に走査させながらの描画においては、ヘッドユニット１３の進行方向に対して後方（第２の方向）側の側面に位置する第２紫外線照射装置１５ｂ及び第４紫外線照射装置１５ｄによりワークＷに着弾した液状体への紫外光の照射が行なわれる。具体的には、ヘッドユニット１３の第２の方向側の側面を副走査方向に二分割した一方の領域に配置された第２紫外線照射装置１５ｂにより、ヘッドユニット１３の第１の領域３２ａに配置された吐出ヘッド３３Ａ，３３Ｂ（図２（ｂ）参照）からワークＷに吐出された第２の液滴５５ｂに対して紫外光４１ｂの照射が行なわれ、他方の領域に配置された第４紫外線照射装置１５ｄにより、ヘッドユニット１３の第２の領域３２ｂに配置された吐出ヘッド３３Ｃ，３３Ｄ（図２（ｂ）参照）からワークＷに吐出された第１の液滴５５ａに対して紫外光４１ｄの照射が行なわれる。
このとき、第４紫外線照射装置１５ｄは、ヘッドユニット１３の第２の方向の側面とスペーサー部材１８ｂを介して設置されているので、スペーサー部材を介さずに設置された第２紫外線照射装置１５ｂよりもワークＷに着弾した液状体に対して紫外線（紫外光４１ｄ）を照射するまでの時間がかかる。このため、往路方向（Ｘ（＋）方向）に走査させながら描画を行なうときは、第２紫外線照射装置１５ｂから直ぐに紫外光４１ｂが照射される第２の液滴５５ｂの液滴量（第２の液滴量）よりも、ヘッドユニット１３の第２の領域３２ｂに設けられた吐出ヘッド３３Ｃ，３３Ｄ（図２（ｂ））から吐出させる第１の液滴５５ａの液滴量（第１の液滴量）を小さくして硬化するまでの濡れ広がり量を抑える。これにより、ワークＷに着弾した第１の液滴５５ａ及び第２の液滴５５ｂによる液状体の濡れ広がり量のバランスをとって硬化させることができるので、所望の描画が実現できる。
【００５８】
図６（ｂ）に示すように、ヘッドユニット１３（キャリッジ７）を第２の方向としての復路方向（Ｘ（−）方向）に走査させながら描画をおこなう時には、ヘッドユニット１３の第２の領域３２ｂに配置された吐出ヘッド３３Ｃ，３３Ｄ（図２（ｂ）参照）から吐出させる第２の液滴５５ｂよりも、ヘッドユニット１３の第１の領域３２ａに配置された吐出ヘッド３３Ａ，３３Ｂ（図２（ｂ）参照）から吐出させる第１の液滴５５ａの方の液滴量を大きくしている。この復路方向（Ｘ（−）方向）に走査させながらの描画においては、ヘッドユニット１３の進行方向に対して後方（第１の方向）側の側面に位置する第１紫外線照射装置１５ａ及び第３紫外線照射装置１５ｃによりワークＷに着弾した液状体への紫外光の照射が行なわれる。
ここで、ヘッドユニット１３の第１の方向側の側面を副走査方向に二分割した一方の領域に配置された第１紫外線照射装置１５ａにより、ヘッドユニット１３の第１の領域３２ａに配置された吐出ヘッド３３Ａ，３３Ｂ（図２（ｂ）参照）からワークＷに吐出された第１の液滴５５ａに対して紫外光４１ａの照射が直ぐに行なわれる。一方、ヘッドユニット１３の第１の方向の側面の他方の領域に配置された第３紫外線照射装置１５ｃはスペーサー部材１８ａを介して設置されているので、スペーサー部材を介さずに設置された第１紫外線照射装置１５ａよりもワークＷに着弾した液状体に対して紫外線（紫外光４１ｃ）を照射するまでの時間がかかる。このため、復路方向（Ｘ（−）方向）に走査させながら描画を行なうときは、第１紫外線照射装置１５ａから直ぐに紫外光４１ａが照射される第１の液滴５５ａの液滴量（第１の液滴量）よりも、ヘッドユニット１３の第２の領域３２ｂに設けられた吐出ヘッド３３Ｃ，３３Ｄ（図２（ｂ））から吐出させる第２の液滴５５ｂの液滴量（第２の液滴量）を小さくして硬化するまでの濡れ広がり量を抑える。これにより、ワークＷに着弾した第１の液滴５５ａ及び第２の液滴５５ｂによる液状体の濡れ広がり量のバランスをとって硬化させることができるので、所望の描画が実現できる。
【００５９】
なお、本実施形態では、ヘッドユニット１３の第１の領域３２ａに配置された吐出ヘッド３３Ａ，３３Ｂ及び第２の領域３２ｂに配置された吐出ヘッド３３Ｃ，３３Ｄのうち、ヘッドユニット１３にスペーサー部材１８ａ，１８ｂを介して設置された第３紫外線照射装置１５ｃまたは第４紫外線照射装置１５ｄにより紫外光４１ｃまたは紫外光４１ｄを照射される領域に液滴を吐出する吐出ヘッド３３Ｃ，３３ＤからワークＷに吐出させる液滴量を、第１の領域３２ａに配置された吐出ヘッド３３Ａ，３３Ｂから吐出させる液滴量よりも小さくすることとしたが、この限りではない。紫外線硬化型の液状体の種類によっては、紫外線照射による硬化のしやすさ（小さい紫外線照射強度で硬化する）が液滴量に拠らない場合があるためである。したがって、紫外線照射による硬化のしやすさが液滴量に拠らない液状体を用いて描画を行なう場合には、ヘッドユニット１３の往路と復路で各吐出ヘッド３３Ａ〜３３Ｄから吐出させる液状体の液滴量（第１の液滴量または第２の液滴量）を、第１紫外線照射装置１５ａ〜第４紫外線照射装置１５ｄからの紫外線照射によって適正に硬化できるように液滴量を調整して描画を行なう。
【００６０】
上記第１実施形態の液滴吐出装置１によれば、ヘッドユニット１３（キャリッジ７）の主走査方向における第１の方向（Ｘ（＋）方向）及び第２の方向（Ｘ（−）方向）の両側面を副走査方向に二分割した領域に、第１紫外線照射装置１５ａ及び第３紫外線照射装置１５ｃ、または、第２紫外線照射装置１５ｂ及び第４紫外線照射装置１５ｄを配置している。即ち、一方の側面を二分割する領域に二つずつの紫外線照射装置を設けた構成となっている。紫外線照射装置は、大型化するほど放熱対策設計が困難となって顕著に高額化するため、液滴吐出装置１においてコスト占有率が大きいので、一つの紫外線照射装置（第１紫外線照射装置１５ａ〜第４紫外線照射装置１５ｄ）が従来よりも小型化されることにより、液滴吐出装置１の低コスト化を図ることができる。
そして、上記第１実施形態の液滴吐出装置１を用いた描画方法によれば、小型の第１紫外線照射装置１５ａ〜第４紫外線照射装置１５ｄを採用することにより低コスト化が図られた液滴吐出装置１を用いて、ヘッドユニット１３（キャリッジ７）の往路方向及び復路方向に走査させながら描画を行なったときに、ヘッドユニット１３の第１の領域３２ａ及び第２の領域３２ｂに千鳥配列された吐出ヘッド３３Ａ〜３３ＤからワークＷに吐出させた液状体の硬化をバランスよく、且つ、確実に行うことを可能として、所望の描画を行なえる描画方法を提供することができる。
【００６１】
（第２実施形態）
次に、上記第１実施形態の液滴吐出装置１を用いた描画方法の異なる実施形態について説明する。なお、第２実施形態では、上記第１実施形態の液滴吐出装置１をそのまま用いることができるので、同じ図面（図１〜図６）に沿って説明するとともに、同一構成については説明を省略する。
図６（ａ），（ｂ）に示す描画方法において、第２実施形態では、図６（ａ）に示す往路方向（Ｘ（＋）方向）側に走査させながら描画するときの第２紫外線照射装置１５ｂ及び第４紫外線照射装置１５ｄの紫外光４１ｂ，４１ｄと、図６（ｂ）に示す復路方向（Ｘ（−）方向）側に走査させながら描画するときの第１紫外線照射装置１５ａ及び第３紫外線照射装置１５ｃの紫外光４１ａ，４１ｃの紫外線照度を異ならせることを特徴とする。
【００６２】
詳述すると、例えば、図６（ａ）に示すヘッドユニット１３（キャリッジ７）を往路方向（Ｘ（＋）方向）側に走査させながらの描画においては、ヘッドユニット１３の進行方向に対して後方側の側面に位置する第２紫外線照射装置１５ｂ及び第４紫外線照射装置１５ｄのうち、まず、第２紫外線照射装置１５ｂにより、ヘッドユニット１３の第１の領域３２ａに配置された吐出ヘッド３３Ａ，３３Ｂ（図２（ｂ）参照）からワークＷに吐出された第２の液滴５５ｂに対して紫外光４１ｂの照射が直ぐに行なわれ、次いで、ヘッドユニット１３の側面にスペーサー部材１８ｂを介して設置された第４紫外線照射装置１５ｄにより、ヘッドユニット１３の第２の領域３２ｂに配置された吐出ヘッド３３Ｃ，３３Ｄ（図２（ｂ）参照）からワークＷに吐出された第１の液滴５５ａに対して紫外光４１ｄの照射が行なわれる。ここで、ワークＷに着弾した液状体に対して紫外線照射までに時間がかかる第４紫外線照射装置１５ｄの紫外光４１ｄの紫外線照度を、第２紫外線照射装置１５ｂの紫外光４１ｂの紫外線照度よりも大きくする。これにより、第４紫外線照射装置１５ｄの紫外光４１ｄが照射されてからの液状体の硬化の進み方は、第２紫外線照射装置１５ｂの紫外光４１ｂを照射している液状体の硬化の進み方よりも速いので、紫外光４１ｄが照射されてからの液状体の濡れ広がりが抑えられる。
第２紫外線照射装置１５ｂ及び第４紫外線照射装置１５ｄの紫外光４１ｂ及び紫外光４１ｄの紫外線照度を変える手段としては、光源４５ｂ及び４５ｄの種類を変える、または、ＬＥＤなどにおいては、電流値などの電力値を変える、といった方法を挙げることができる。
【００６３】
上記第２実施形態の描画方法によれば、着弾してから紫外線照射されるまでの時間や、異なる各々の液滴量に応じて第２紫外線照射装置１５ｂ及び第４紫外線照射装置１５ｄによる紫外光４１ｂ，４１ｄの紫外線照度を調整することにより適切にバランスよく硬化させることができる。また、第１の液滴５５ａの液滴量と第２の液滴５５ｂの液滴量との差を小さくすることができるので、所望の描画を行なうことが可能になる。
【００６４】
（変形例）
なお、本発明は上述した実施形態に限定されず、上述した実施形態に種々の変更や改良などを加えることが可能である。以下、変形例について述べる。図８は、本発明の描画方法に用いる液滴吐出装置のキャリッジ（ヘッドユニット）における紫外線照射装置の配置の変形例を底面側から見て示す平面図である。なお、上記実施形態と同じ構成については、同一符号を付して説明を省略する。
【００６５】
図８において、ヘッドユニット１３´（キャリッジ７に含む）の吐出ヘッド保持面３１ａには、上記第１実施形態と同一の配置にて吐出ヘッド３３Ａ〜３３Ｄが設けられている。
また、ヘッドユニット１３´の主走査方向の両側面のうち、往路方向（Ｘ（＋）方向）の側面を副走査方向に二分割した領域には、第１紫外線照射装置１５ａ及び第３紫外線照射装置１５ｃが配置され、復路方向（Ｘ（−）方向）の側面を副走査方向に二分割した領域には、第２紫外線照射装置１５ｂ´及び第４紫外線照射装置１５ｄ´が配置されている。第１紫外線照射装置１５ａと第２紫外線照射装置１５ｂ´とが主走査方向において重なる位置に配置され、第３紫外線照射装置１５ｃと第４紫外線照射装置１５ｄ´とが主走査方向に重なる位置に配置されている。また、第３紫外線照射装置１５ｃはヘッドユニット１３の往路方向（Ｘ（＋）方向）の側面にスペーサー部材１８ａを介して設置され、第２紫外線照射装置１５ｂ´は復路方向（Ｘ（−）方向）の側面にスペーサー部材１８ｂ´を介して設置されている。
【００６６】
上記構成のヘッドユニット１３´を有する液滴吐出装置によれば、例えば次のような描画方法により描画を行なうことができる。
まず、上記第１実施形態と同様に、吐出ヘッド３３Ａ〜３３Ｄのそれぞれから吐出する液状体の液滴量をヘッドユニット１３´の走査方向に応じて調整する。即ち、往路方向（Ｘ（＋）方向）に走査させながら描画をおこなう時には、ヘッドユニット１３´の進行方向に対して後方に位置する側の側面にスペーサー部材１８ｂ´を介して設置された第２紫外線照射装置１５ｂ´により紫外線照射される領域に液滴を吐出させる第１の領域３２ａに配置された吐出ヘッド３３Ａ，３３Ｂから吐出させる液滴の液滴量を、スペーサー部材を介さずにヘッドユニット１３´の側面に設置された第４紫外線照射装置１５ｄ´により紫外線照射される領域に液滴を吐出する第２の領域３２ｂに配置された吐出ヘッド３３Ｃ，３３Ｄから吐出する液滴量よりも小さくする。
また、復路方向（Ｘ（−）方向）に走査させながら描画をおこなう時には、ヘッドユニット１３´の進行方向に対して後方に位置する側の側面にスペーサー部材１８ａを介して設置された第３紫外線照射装置１５ｃにより紫外線照射される領域に液滴を吐出させる第２の領域３２ｂに配置された吐出ヘッド３３Ｃ，３３Ｄから吐出させる液滴の液滴量を、スペーサー部材を介さずにヘッドユニット１３´の側面に設置された第１紫外線照射装置１５ａにより紫外線照射される領域に液滴を吐出する第１の領域３２ａに配置された吐出ヘッド３３Ａ，３３Ｂから吐出する液滴量よりも小さくする。
上記描画方法によれば、第２紫外線照射装置１５ｂ´及び第３紫外線照射装置１５ｃがヘッドユニット１３´にスペーサー部材１８ａ，１８ｂ´を介して設置されていることにより、スペーサー部材を介さずに設置された第１紫外線照射装置１５ａ及び第４紫外線照射装置１５ｄ´よりもワークＷに着弾した液状体に対して紫外線を照射するまでの時間がかかるため、第２紫外線照射装置１５ｂ´及び第３紫外線照射装置１５ｃにより紫外線照射が行なわれる領域に液滴を吐出する吐出ヘッド３３Ａ，３３Ｂまたは吐出ヘッド３３Ｃ，３３Ｄのいずれかから吐出する液滴の液滴量を、他方の液滴量よりも小さくしている。したがって、ワークＷに着弾した液状体の濡れ広がり量のバランスをとって硬化させることができるので、所望の描画が実現できる。
【００６７】
以上、発明者によってなされた本発明の実施の形態について具体的に説明したが、本発明は上記した実施の形態に限定されるものではなく、その要旨を逸脱しない範囲で種々の変更を加えることが可能である。
【００６８】
例えば、上記実施形態及び変形例では、一走査方向の描画において、ヘッドユニット１３の第１の領域３２ａに設置された吐出ヘッド３３Ａ，３３Ｂと、第２の領域３２ｂに設置されたる吐出ヘッド３３Ｃ，３３Ｄとから、異なる液滴量の第１の液滴５５ａ及び第２の液滴５５ｂをそれぞれ吐出させて描画を行う構成を説明した（図６を参照）。
これに限らず、走査方向に応じて、ヘッドユニット１３の第１の領域及び第２の領域のうちいずれか一方の吐出ヘッド（ノズル）からは液滴の吐出をしない構成としてもよい。
また、一走査方向の描画において、ヘッドユニット１３の第１の領域３２ａに設置された吐出ヘッド３３Ａと吐出ヘッド３３Ｂとからそれぞれ吐出させる液状体の液滴量、または、第２の領域３２ｂに設置されたる吐出ヘッド３３Ｃと吐出ヘッド３３Ｄとからそれぞれ吐出させる液状体の液滴量を異ならせる構成としてもよい。
【００６９】
また、上記第２実施形態では、第１紫外線照射装置１５ａ〜第４紫外線照射装置１５ｄの紫外線照度を変えることにより、記録媒体としてのワークＷに吐出させた液状体の硬化速度を調整する方法を説明した。これに限らず、描画中のヘッドユニット１３（キャリッジ７）の移動速度を調整することによっても、ワークＷに吐出させた液状体の硬化速度を調整することができる。すなわち、ヘッドユニット１３（キャリッジ７）の移動速度を遅くするほど、液状体に紫外光が照射される時間が長くなるため、液状体の硬化がより促進される。
また、各紫外線照射装置をヘッドユニット１３，１３´に設置するときに介在させるスペーサー部材１８ａ，１８ｂ，１８ｂ´の主走査方向の厚みを変更することによっても、ワークＷに着弾した液状体に紫外線照射を開始するまでの時間を調整することができる。
【００７０】
また、実施形態及び変形例では、吐出ヘッド３３Ａ〜３３Ｄから液滴として吐出しワークＷに着弾させた液状体の濡れ広がりを抑えて所望の描画を実行する方法について説明した。これに限らず、液状体の濡れ広がりを利用して広範囲に塗膜を形成する描画を行なうこともできる。
例えば、上記変形例の液滴吐出装置のヘッドユニット１３´（図８を参照）において、スペーサー部材１８ａ，１８ｂ´を介して設置された第２紫外線照射装置１５ｂ´及び第３紫外線照射装置１５ｃのそれぞれが紫外線照射を行なう領域の液状体の吐出量（液滴量）を大きくして、例えばオーバーコート膜などのベタ膜の形成を行なうことができる。
具体的には、図８において、ヘッドユニット１３´を主走査方向のＸ（＋）方向（第１の方向）に走査させながら描画を行なうときには、第２紫外線照射装置１５ｂ´が紫外線照射を行なう領域に液滴を吐出する吐出ヘッド３３Ａ，３３Ｂからは液滴量の大きい液滴を吐出し、第４紫外線照射装置１５ｄ´が紫外線照射を行なう領域に液滴を吐出する吐出ヘッド３３Ｃ，３３Ｄからは、吐出ヘッド３３Ａ，３３Ｂから吐出する液滴量よりも小さい液滴量の液滴を吐出する。吐出ヘッド３３Ａ，３３Ｂから吐出した液滴は、液滴量が大きいことに加え、スペーサー部材１８ｂ´が介在することにより第２紫外線照射装置１５ｂ´による紫外線照射までに時間が掛かるので、着弾した液状体の濡れ広がりが促進されて広範囲に広がる塗膜を形成できる。一方、吐出ヘッド３３Ｃ，３３Ｄから吐出した液滴は、液滴量を小さく調整していることに加え、第４紫外線照射装置１５ｄ´による紫外線照射が直ぐに行なわれるので、着弾した液状体の濡れ広がりが抑えられ高精細な描画パターンができる。
同様に、ヘッドユニット１３´を主走査方向のＸ（−）方向（第２の方向）に走査させながら描画を行なうときには、第３紫外線照射装置１５ｃが紫外線照射を行なう領域に液滴を吐出する吐出ヘッド３３Ｃ，３３Ｄからは液滴量の大きい液滴を吐出し、第１紫外線照射装置１５ａが紫外線照射を行なう領域に液滴を吐出する吐出ヘッド３３Ａ，３３Ｂからは、吐出ヘッド３３Ｃ，３３Ｄから吐出する液滴量よりも小さい液滴量の液滴を吐出する。
このような描画の一走査において、ヘッドユニット１３´の第１の領域３２ａに設置された吐出ヘッド３３Ａ，３３Ｂ、または、第２の領域３２ｂに設置された吐出ヘッド３３Ｃ，３３Ｄのいずれか一方の領域の吐出ヘッドからの吐出をしないなどの方法を組み合わせことにより、高精細な描画と、広範囲な塗膜の形成とを組み合わせた様々な態様の印刷物を形成することができる。
【符号の説明】
【００７１】
１…液滴吐出装置、３…ワーク搬送装置、７…ヘッド保持部材としてのキャリッジ、１１…キャリッジ搬送装置、１３，１３´…ヘッド保持部材の一部としてのヘッドユニット、１５ａ…第１紫外線照射装置、１５ｂ，１５ｂ´…第２紫外線照射装置、１５ｃ…第３紫外線照射装置、１５ｄ，１５ｄ´…第４紫外線照射装置、１８ａ，１８ｂ，１８ｂ´…スペーサー部材、２１…定盤、２１ａ…上面、２３ａ，２３ｂ…ガイドレール、２５…ワークテーブル、２５ａ…載置面、３１…ヘッドプレート、３１ａ…吐出ヘッド保持面、３２ａ…第１の領域、３２ｂ…第２の領域、３３Ａ〜３３Ｄ…吐出ヘッド、３５…ノズル面、３７…ノズル、３９，３９ａ〜３９ｄ…ノズル列、４１ａ〜４１ｄ…紫外光、４５ａ〜４５ｄ…光源、４６…ノズルプレート、４７…キャビティープレート、４８…振動板、４９…圧電素子、５１…キャビティー、５３…液状体、５５…液滴、５５ａ…第１の液滴、５５ｂ…第２の液滴、１０１…架台、１０３…ガイドレール、１０７，１０７ａ，１０７ｂ…支柱、１１１…制御部、１１３…ＣＰＵ、１１５…駆動制御部、１１７…メモリー部、１１９…バス、１２１…キャリッジ搬送モーター、１２３…ワーク搬送モーター、１２９…入力装置、１３１…表示装置、１３３…入出力インターフェイス、１３５…プログラムソフト、１３７…データ展開部、１４１…モーター制御部、１４５…吐出制御部、１４６…第１照射制御部、１４７…第２照射制御部、１４８…第３照射制御部、１４９…第４照射制御部、１５１…表示制御部、Ｗ…記録媒体としてのワーク。
【図１】
0005842595.tif 000002
【図２】
0005842595.tif 000003
【図３】
0005842595.tif 000004
【図４】
0005842595.tif 000005
【図５】
0005842595.tif 000006
【図６】
0005842595.tif 000007
【図７】
0005842595.tif 000008
【図８】
0005842595.tif 000009